(57)【要約】      （修正有）【課題】効率よく組積作業をおこなうことができるコンクリートブロックを提供する。【解決手段】前後一対のフェイスシェル部１１ａ、１１ｂと、一対のフェイスシェル部同士をつなぐウェブ部１２を備えるコンクリートブロック１において、フェイスシェル部それぞれの左右方向の幅を略４００ｍｍとなるよう形成するとともに、フェイスシェル部の外面側端部に平面視略Ｌ字状の切欠き部１３ａ、１３ｂを設ける。【選択図】図１
0003207748.tif 000002
【実用新案登録請求の範囲】
【請求項１】
前後一対のフェイスシェル部と、該一対のフェイスシェル部同士をつなぐウェブ部を備えるコンクリートブロックであって、
前記一対のフェイスシェル部のそれぞれが、左右方向の幅を略４００ｍｍとし、外面側端部に平面視略Ｌ字状の切欠き部を備える
ことを特徴とする、コンクリートブロック。
【請求項２】
前記切欠き部の幅が略１０ｍｍであることを特徴とする、請求項１記載のコンクリートブロック。
【請求項３】
前記切欠き部の奥行きが略５ｍｍであることを特徴とする、請求項１又は２に記載のコンクリートブロック。
【請求項４】
前記コンクリートブロックが空洞ブロックであることを特徴とする、請求項１〜３のいずれかに記載のコンクリートブロック。
【請求項５】
前記コンクリートブロックが型枠ブロックであることを特徴とする、請求項１〜３のいずれかに記載のコンクリートブロック。
【考案の詳細な説明】
【技術分野】
【０００１】
本考案はコンクリートブロックに関し、特に、効率よく組積作業をおこなうことができるコンクリートブロックに関する。
【背景技術】
【０００２】
土地を区画する塀等に広く使われている建築材料であるコンクリートブロックとして、従来から日本工業規格（ＪＩＳ  Ａ  ５４０６）で定められた寸法のコンクリートブロックが一般的である。日本工業規格においてコンクリートブロックの標準的な寸法として幅３９０ｍｍ、高さ１９０ｍｍ、厚さとして１００ｍｍ、１２０ｍｍ、１５０ｍｍ、１９０ｍｍ等が定められているが、標準寸法以外の寸法で形成されたコンクリートブロックとして、例えば特許文献１のコンクリートブロックが知られている。
【０００３】
また、上記の日本工業規格では、コンクリートブロックを空洞ブロックと型枠ブロックに分類している。いずれのコンクリートブロックも略矩形状に形成された前後一対のフェイスシェル部と、該一対のフェイスシェル部同士を繋ぐウェブ部を備えており、フェイスシェル部とウェブ部により一又は二以上の空洞が形成されている。空洞ブロックは二以上の空洞が独立して形成されているのに対して型枠ブロックは縦横に連続した一の空洞が形成されていることが通常である。モルタル等の充填材を部分充填して塀等を構築する場合は空洞ブロックが用いられ、コンクリート等の充填材を全充填して塀等を構築する場合は型枠ブロックが用いられる。
【０００４】
これらの従来のコンクリートブロックを用いた塀等は、上下方向に伸びる鉄筋である縦筋と左右方向に伸びる鉄筋である横筋を所定の間隔で配筋し、コンクリートブロックの空洞にモルタルやコンクリート等の充填材を充填して、上下左右にコンクリートブロックを組積して構築されることが通常である。図５は、空洞ブロックである従来のコンクリートブロックを用いて塀を構築した際の、コンクリートブロック４と、縦筋５と、モルタル６の構成を示した図である。図５に示すように、従来のコンクリートブロックを用いた塀は、所定の間隔で配筋した縦筋５の間にコンクリートブロック４が設置され、コンクリートブロック４同士の間にモルタル６が充填される。前述のように、標準的なコンクリートブロックは横幅が３９０ｍｍとされているが、縦筋の間隔は略４００ｍｍとすることが通常であり、コンクリートブロック４同士の間には１０ｍｍ前後のすき間が生じる。このすき間に、モルタル６による目地６ａが形成される。なお、コンクリートブロックとして従来の型枠ブロックを使用する場合はコンクリートブロックの間のみに充填材を部分充填するのではなく、コンクリートブロックの空洞部分の全てに充填材を全充填するが、コンクリートブロック同士の間に１０ｍｍ前後のすき間が生じることは空洞ブロックを用いた場合と同様であり、充填材による目地の形成が必要である。
【先行技術文献】
【特許文献】
【０００５】
【特許文献１】特開２００６−１０４８１８号公報
【考案の概要】
【考案が解決しようとする課題】
【０００６】
従来のコンクリートブロックでは、４００ｍｍの間隔で配筋された縦筋と幅３９０ｍｍのコンクリートブロックを用いて塀等を組積するので、施工の際にはモルタルやコンクリート等の充填材を目地として形成する必要がある。目地を形成する作業は熟練を要するので、組積作業に時間がかかるとともに、作業者の技量によって塀等構築物の外観や、作業時間に差が表れやすいという問題があった。
【０００７】
本考案は前述の状況に着目し、効率良く組積作業をおこなうことができるコンクリートブロックを提供することを、その課題とするものである。
【課題を解決するための手段】
【０００８】
上記課題を解決することを目的としてなされた本考案に係るコンクリートブロックは、前後一対のフェイスシェル部と、該一対のフェイスシェル部同士をつなぐウェブ部を備えるコンクリートブロックであって、前記一対のフェイスシェル部のそれぞれが、左右方向の幅を略４００ｍｍとし、外面側端部に平面視略Ｌ字状の切欠き部を備えることを特徴としている。
【０００９】
本考案に係るコンクリートブロックは、切欠き部の幅が１０ｍｍであることが望ましい。
【００１０】
本考案に係るコンクリートブロックは、切欠き部の奥行が５ｍｍであることが望ましい。
【００１１】
本考案に係るコンクリートブロックは、空洞ブロックであってもよいし、型枠ブロックであってもよい。
【考案の効果】
【００１２】
本考案によれば、コンクリートブロックの幅を略４００ｍｍとし、一対のフェイスシェル部それぞれの外面側端部にＬ字状の切欠き部を有している。この構成により、切欠き部が目地として視認できるので、目地の形成作業を行うことなく効率のよい組積作業をすることができる。
【図面の簡単な説明】
【００１３】
【図１】本考案の実施形態の一例に係るコンクリートブロックの斜視図である。
【図２】同実施形態の一例に係るコンクリートブロックの平面図である。
【図３】同実施形態の一例に係るコンクリートブロックの側面図である。
【図４】同実施形態の一例に係るコンクリートブロックを用いた塀の構成を示す図である。
【図５】従来のコンクリートブロックを用いた塀の構成を示す図である。
【考案を実施するための形態】
【００１４】
以下、図面を参照しながら、本考案の実施形態の一例について説明する。
【００１５】
図１〜図３は、本考案の実施形態に係るコンクリートブロックを示す図であり、図１は斜視図、図２は平面図、図３は右側面図である。図１〜３に示すように、コンクリートブロック１は、フェイスシェル部１１ａ、１１ｂと、ウェブ部１２から構成されている。コンクリートブロック１は周知のコンクリートブロック用材料、すなわち、セメント、砂、砂利等を任意の割合で配合し、外形を略直方体状に形成している。
【００１６】
フェイスシェル部１１ａ、１１ｂは、コンクリートブロック１を組積して塀等を構築した際に、塀等の外面を構成する部位である。本実施形態に係るコンクリートブロック１におけるフェイスシェル部１１ａ、１１ｂは、幅すなわち左右方向の長さを略４００ｍｍ、高さすなわち上下方向の長さを略１９０ｍｍに形成しており、正面視において略矩形状に形成されている。なお、厚さすなわち前後方向の長さは任意でよく、周知の工業規格等に沿ってもよいし、独自の寸法としてもよい。
【００１７】
フェイスシェル部１１ａ、１１ｂが前後に対向配置され、該フェイスシェル部１１ａ、１１ｂを後述するウェブ部１２がつなぐことにより、コンクリートブロック１は全体として略直方体状の外形となるように形成されている。また、後述するように、フェイスシェル部１１ａ、１１ｂの外面側端には平面視略Ｌ字状の切欠き部１３ａ、１３ｂがそれぞれ設けられている。
【００１８】
ウェブ部１２は、前述のフェイスシェル部１１ａ、１１ｂの間に位置する部位である。本実施形態では、フェイスシェル部１１ａ、１１ｂと、ウェブ部１２により、縦孔部１４と、縦溝部１５ａ、１５ｂと、横溝部１６が形成されている。なお、本実施形態のコンクリートブロック１は縦孔部１４、縦溝部１５ａ、１５ｂ、横溝部１６がそれぞれ独立しており、後述するように縦溝部１５ａ、１５ｂにモルタル等を充填材として充填して使用する空洞ブロックとして形成されているが、コンクリートブロック１を空洞ブロックとして形成するか、あるいは型枠ブロックとして形成するかは適宜選択してよい。
【００１９】
切欠き部１３ａ、１３ｂは、フェイスシェル部１１ａ、１１ｂそれぞれの外面側端部に設けられた平面視略Ｌ字状の切欠きである。本実施形態における切欠き部１３ａ、１３ｂはそれぞれ幅略１０ｍｍ、奥行き略５ｍｍに形成されている。
【００２０】
縦孔部１４は、コンクリートブロック１平面側の端面に設けられた空洞である。なお、本実施形態に係るコンクリートブロック１は、いわゆる横筋ブロックとしても使用することができるように、コンクリートブロック１の底面側に横溝部１６が設けられており、縦孔部１４はコンクリートブロック１を上下方向に貫通しないように形成されている。
【００２１】
縦溝部１５ａ、１５ｂはコンクリートブロック１の側端面に設けられた上下方向に延びる溝である。前述したように、コンクリートブロック１は前後一対のフェイスシェル部１１ａ、１１ｂと、当該フェイスシェル１１ａ、１１ｂの間に位置するウェブ部１２により構成されており、ウェブ部１２の左右それぞれの側端面を凹状に形成することにより縦溝部１５ａ、１５ｂを設けている。塀等の構築においてコンクリートブロック１を左右方向に並べた際には、一のコンクリートブロック１の縦溝部１５ａと隣接する他のコンクリートブロック１の縦溝部１５ｂにより、コンクリートブロック１同士の間に空洞が設けられる。当該空洞に縦筋が配筋されるとともに、モルタル等の充填材が充填される。
【００２２】
横溝部１６は、コンクリートブロック１底面側の端面に設けられた左右方向に延びる溝である。前述したように、コンクリートブロック１は前後一対のフェイスシェル部１１ａ、１１ｂと、当該フェイスシェル１１ａ、１１ｂの間に位置するウェブ部１２により構成されており、ウェブ部１２の底面側端面を凹状に形成することにより横溝部１６を設けている。塀等の構築においてコンクリートブロック１を上下方向に並べた際には、一のコンクリートブロック１の横溝部１６と他のコンクリートブロック１の平面側端面との間に空洞が設けられる。当該空洞に横筋が配筋されるとともに、モルタル等の充填材が充填される。
【００２３】
本実施形態に係るコンクリートブロック１は、平面側端面に縦孔部１４を備え、また、左右両側端面に縦溝部１５ａ、１５ｂを備えており、いわゆる基本形ブロックとして使用することができる。また、横溝部１６を備えていることにより、いわゆる横筋ブロックとしても使用することができる。コンクリートブロック１を横筋ブロックとして用いる際は、横溝部１６に横筋を配筋してモルタル等を充填する。
【００２４】
図４は、本実施形態に係るコンクリートブロック１を用いて施工した塀の構成を示す模式図である。図４に示すように、コンクリートブロック１を用いて塀を構築する際は、略４００ｍｍ間隔で配筋された縦筋２の間にコンクリートブロック１を設置し、一のコンクリートブロック１の縦溝部１５ａと、隣接する他のコンクリートブロック１の縦溝部１５ｂにより構成された空洞にモルタル３を充填する。
【００２５】
この状態において、コンクリートブロック１は幅が略４００ｍｍに形成されており、縦筋２を配筋する間隔と略同一となっている。これにより隣接するコンクリートブロック１同士の間にすき間が生じないので、組積作業を行う際には一のコンクリートブロック１の縦溝部１５ａと、隣接する他のコンクリートブロック１の縦溝部１５ｂにより形成された空間にモルタル等を充填するのみでよい。フェイスシェル部１１ａ、１１ｂには切欠き部１３ａ、１３ｂが形成されているので、塀等を構築した際には当該切欠き部１３ａ、１３ｂが外観上目地として視認されるので、モルタル等による目地の形成作業を行うことなく、作業者の熟練を要することなく美しい塀等を構築することができる。
【００２６】
また、塀等を構築する際には、構築する塀等の幅及び高さに合わせて必要数のコンクリートブロックを施工場所の近くに配置した上で配筋、組積等作業を行うことが通常である。本実施形態に係るコンクリートブロック１は幅を縦筋の間隔と同じ略４００ｍｍとしているので、施工場所の幅と同一になるようにコンクリートブロック１を配置しておくことで、コンクリートブロック１の必要数を容易に把握することができ、効率的に組積作業を行うことができる。
【００２７】
本実施形態の構成は以上であるが、本考案を実施する形態はこれに限られない。例えば、本実施形態ではコンクリートブロック１が横溝部１６を備えており、コンクリートブロック１をいわゆる横筋ブロックとして用いることができるが、横溝部１６を排して基本形ブロックとして用いるように構成してもよい。また、本実施形態のコンクリートブロック１は空洞ブロックであるが、型枠ブロックとして構成してもよい。その他の具体的構成についても上記実施形態に限られるものではなく、本考案の趣旨を逸脱しない範囲でさまざまな変更が可能である。
【符号の説明】
【００２８】
１              コンクリートブロック
１１ａ、１１ｂ  フェイスシェル部
１２            ウェブ部
１３ａ、１３ｂ  切欠き部
１４ａ〜１４ｃ  縦孔部
１５ａ、１５ｂ  縦溝部
１６            横溝部
２              縦筋
３              モルタル
【図１】
0003207748.tif 000003
【図２】
0003207748.tif 000004
【図３】
0003207748.tif 000005
【図４】
0003207748.tif 000006
【図５】
0003207748.tif 000007